(57)【要約】【課題】表示装置の額縁の塑性変形を抑制できるようにする。【解決手段】表示装置１は、表示面２ａを有する板状の表示パネル２と、表示パネルの厚さ方向に延びる筒状に形成され、表示パネルの側面２ｃを覆う側面カバー部３１、及び、側面カバー部の端部から径方向内側に一体に延びて、表示面の周縁領域を覆う前面カバー部３２を有する額縁３と、側面カバー部の内周面３１ａに取り付けられるばね部材４と、を備える。ばね部材は、表示面と前面カバー部との間で側面カバー部側から径方向内側に延びる板ばね部４１を有する。板ばね部は、その先端４１ａが基端４１ｂに対して表示パネルの厚さ方向に移動するように弾性的に撓み変形可能である。額縁は、前面カバー部に一体に形成されると共に、表示面と板ばね部の先端部４４との間に配される鉤部３３を有する。【選択図】図２
2020190704.tif 000002
【特許請求の範囲】
【請求項１】
表示面を有する板状の表示パネルと、
前記表示パネルの厚さ方向に延びる筒状に形成され、前記厚さ方向に延びる前記表示パネルの側面を覆う側面カバー部、及び、前記厚さ方向における前記側面カバー部の端部から径方向内側に一体に延びて、前記表示面の周縁領域を覆う前面カバー部を有する額縁と、
前記表示パネルの側面に対向する前記側面カバー部の内周面に取り付けられるばね部材と、を備え、
前記ばね部材は、前記表示面と前記前面カバー部との間で前記側面カバー部側から前記径方向内側に延び、延長方向における先端が基端に対して前記厚さ方向に移動するように弾性的に撓み変形可能な板ばね部を有し、
前記額縁は、前記前面カバー部に一体に形成されると共に、前記表示面と前記板ばね部の先端部との間に配される鉤部を有する表示装置。
【請求項２】
前記前面カバー部に外力が作用していない状態では、前記板ばね部の先端部が前記鉤部に対して間隔をあけて位置する請求項１に記載の表示装置。
【請求項３】
前記ばね部材が、前記板ばね部に対して前記厚さ方向に間隔をあけて配され、前記板ばね部との間に前記表示パネルを前記厚さ方向から挟む挟持部を有し、
前記板ばね部の基端部は、前記挟持部との間に前記表示パネルを挟んだ状態で弾性的に撓み変形し、
前記板ばね部の先端部は、前記厚さ方向において前記板ばね部の基端部に対して前記表示面から離れて位置する請求項１又は請求項２に記載の表示装置。
【請求項４】
表示面を有する板状の表示パネルと、
前記表示パネルの厚さ方向に延びる筒状に形成され、前記厚さ方向に延びる前記表示パネルの側面を覆う側面カバー部、及び、前記厚さ方向における前記側面カバー部の端部から径方向内側に一体に延びて、前記表示面の周縁領域を覆う前面カバー部を有する額縁と、を備える表示装置における額縁の変形抑制方法であって、
前記表示パネルの側面に対向する前記側面カバー部の内周面に、板ばね部を含むばね部材を取り付け、
前記板ばね部が前記表示面と前記前面カバー部との間で前記側面カバー部側から前記径方向内側に延びるように、かつ、延長方向における前記板ばね部の先端が前記板ばね部の基端に対して前記厚さ方向に移動するように前記板ばね部が弾性的に撓み変形可能となるように、前記板ばね部を配置し、
前記前面カバー部に一体に形成された前記額縁の鉤部を、前記表示面と前記板ばね部の先端部との間に配置する額縁の変形抑制方法。
【発明の詳細な説明】
【技術分野】
【０００１】
本発明は、表示装置、及び、表示装置における額縁の変形抑制方法に関する。
【背景技術】
【０００２】
特許文献１には、表示面を有する板状の表示パネルと、表示パネルの周縁を囲う額縁（フロントカバー）とを備えた表示装置が開示されている。額縁は、表示パネルの側面を覆う側面カバー部と、側面カバー部に一体に形成されて表示パネルの表示面の周縁領域を覆う前面カバー部を有する。
【先行技術文献】
【特許文献】
【０００３】
【特許文献１】国際公開第２０１４／０７３０３４号
【発明の概要】
【発明が解決しようとする課題】
【０００４】
しかしながら、特許文献１の表示装置では、表示装置の向きを調整したり、表示装置を運んだりする際に作業者の手で額縁を掴むと、不意に、前面カバー部が表示面に対して近づいたり離れたりするように側面カバー部に対して塑性的に撓んでしまう、すなわち、額縁が塑性変形してしまうことがある。額縁の変形量が大きいと、表示装置の品位が低下してしまうため、好ましくない。
【０００５】
この発明は、上述した事情に鑑みてなされたものであって、額縁の塑性変形を抑制できる表示装置、及び、表示装置における額縁の変形抑制方法を提供することを目的とする。
【課題を解決するための手段】
【０００６】
本発明の一態様は、表示面を有する板状の表示パネルと、前記表示パネルの厚さ方向に延びる筒状に形成され、前記厚さ方向に延びる前記表示パネルの側面を覆う側面カバー部、及び、前記厚さ方向における前記側面カバー部の端部から径方向内側に一体に延びて、前記表示面の周縁領域を覆う前面カバー部を有する額縁と、前記表示パネルの側面に対向する前記側面カバー部の内周面に取り付けられるばね部材と、を備え、前記ばね部材は、前記表示面と前記前面カバー部との間で前記側面カバー部側から前記径方向内側に延び、延長方向における先端が基端に対して前記厚さ方向に移動するように弾性的に撓み変形可能な板ばね部を有し、前記額縁は、前記前面カバー部に一体に形成されると共に、前記表示面と前記板ばね部の先端部との間に配される鉤部を有する表示装置である。
【０００７】
本発明の一態様は、表示面を有する板状の表示パネルと、前記表示パネルの厚さ方向に延びる筒状に形成され、前記厚さ方向に延びる前記表示パネルの側面を覆う側面カバー部、及び、前記厚さ方向における前記側面カバー部の端部から径方向内側に一体に延びて、前記表示面の周縁領域を覆う前面カバー部を有する額縁と、を備える表示装置における額縁の変形抑制方法であって、前記表示パネルの側面に対向する前記側面カバー部の内周面に、板ばね部を含むばね部材を取り付け、前記板ばね部が前記表示面と前記前面カバー部との間で前記側面カバー部側から前記径方向内側に延びるように、かつ、延長方向における前記板ばね部の先端が前記板ばね部の基端に対して前記厚さ方向に移動するように前記板ばね部が弾性的に撓み変形可能となるように、前記板ばね部を配置し、前記前面カバー部に一体に形成された前記額縁の鉤部を、前記表示面と前記板ばね部の先端部との間に配置する額縁の変形抑制方法である。
【発明の効果】
【０００８】
本発明によれば、額縁の塑性変形を抑制することができる。
【図面の簡単な説明】
【０００９】
【図１】本発明の一実施形態に係る表示装置を、表示パネルと額縁とばね部材とバックカバーとに分解した状態を示す斜視図である。
【図２】本発明の一実施形態に係る表示装置の要部断面図である。
【図３】図１，２に示すばね部材を額縁に取り付けた状態を示す斜視図である。
【図４】図２の表示装置において、額縁の前面カバー部に外力が作用した状態を示す要部断面図である。
【図５】本発明の他の実施形態に係る表示装置の要部断面図である。
【発明を実施するための形態】
【００１０】
以下、図１〜４を参照して本発明の一実施形態について説明する。
図１，２に示すように、本実施形態に係る表示装置１は、表示パネル２と、額縁３と、ばね部材４と、を備える。また、本実施形態の表示装置１は、バックカバー５を備える。
【００１１】
表示パネル２は、板状に形成され、前側に表示面２ａを有する。表示面２ａには、各種の映像信号を表示することができる。表示パネル２は、正面（表示面２ａ側）から見て矩形状に形成される。本実施形態の表示面２ａは平坦である。表示パネル２は、例えば液晶ディスプレイパネルや有機ＥＬディスプレイパネル等であってよい。
【００１２】
額縁３は、表示パネル２の周縁を囲う。本実施形態の額縁３は、矩形状とされた表示パネル２に倣う矩形の環状に形成されている。額縁３は、側面カバー部３１及び前面カバー部３２を有する。
側面カバー部３１は、表示パネル２の厚さ方向（図２において左右方向）に延びる筒状に形成されている。側面カバー部３１は、表示パネル２の厚さ方向に延びる表示パネル２の側面２ｃを覆う。本実施形態においては、表示パネル２の厚さ方向における側面カバー部３１の長さが、表示パネル２の厚さよりも長い。側面カバー部３１は、表示パネル２の背面２ｂ（表示面２ａの反対側に位置する面）から表示パネル２の厚さ方向に突出する。
【００１３】
前面カバー部３２は、表示パネル２の厚さ方向における側面カバー部３１の一方の端部（図２において左側の端部）から径方向内側に一体に延びている。前面カバー部３２は、表示パネル２の表示面２ａの周縁領域を覆う。前面カバー部３２は、表示面２ａの周縁に沿って延びる環状に形成されている。
図２，３に示すように、前面カバー部３２は、側面カバー部３１からその径方向内側に延びる前面カバー本体３４と、前面カバー本体３４の延長方向の先端から表示パネル２の表示面２ａに近づく方向（図２において右方向）に延びる隙間カバー部３５と、を有する。
【００１４】
前面カバー本体３４は、表示面２ａに対して間隔をあけて配される。
隙間カバー部３５の延長方向の先端は、例えば表示面２ａに接触してもよいが、接触しないことがより好ましい。隙間カバー部３５は、前面カバー本体３４の延長方向の先端において、前面カバー本体３４と表示面２ａとの隙間を覆う。隙間カバー部３５は、前面カバー本体３４と表示面２ａとの間に手指や異物が入り込むことを抑制又は防止する。
【００１５】
額縁３は、前面カバー部３２に一体に形成された鉤部３３をさらに有する。鉤部３３は、表示面２ａに対向する前面カバー本体３４の内面３４ａ側に設けられている。鉤部３３は、前面カバー本体３４の内面３４ａに対して間隔をあけて配される鉤本体３６と、前面カバー本体３４の内面３４ａから鉤本体３６まで延びて鉤本体３６と前面カバー本体３４とを接続する接続部３７と、を有する。鉤本体３６は、接続部３７の延長方向の先端から前面カバー本体３４と逆向き（図２において下方向）に延びる。
【００１６】
鉤部３３は、前面カバー本体３４の延長方向の先端部に位置する。ただし、鉤部３３は、前面カバー本体３４の延長方向において、隙間カバー部３５よりも前面カバー本体３４の基端側に位置する。このため、鉤部３３は、前面カバー本体３４の延長方向において、隙間カバー部３５によって覆われる。
【００１７】
鉤部３３は、例えば前面カバー部３２の周方向全体にわたって設けられてもよいが、本実施形態では、前面カバー部３２の周方向の一部に設けられている。本実施形態の鉤部３３は、図１に示すように、矩形環状に形成された前面カバー部３２の一つの辺部分の中央領域に配されている。より具体的に、鉤部３３は、前面カバー部３２のうち表示装置１の下端に位置する辺部分の中央領域に配される。
【００１８】
図１，２に示すように、バックカバー５は、表示パネル２の厚さ方向における側面カバー部３１の一方の端部（図２において右側の端部）に配され、表示パネル２の背面２ｂ側を覆う。
【００１９】
図２，３に示すように、ばね部材４は、表示パネル２の側面２ｃに対向する側面カバー部３１の内周面３１ａに取り付けられる。ばね部材４は、側面カバー部３１の内周面３１ａのうち少なくとも鉤部３３に対応する領域に取り付けられればよい。本実施形態のばね部材４は、側面カバー部３１の内周面３１ａのうち表示装置１の下端に位置する辺部分の中央領域に取り付けられる（図１参照）。
【００２０】
ばね部材４は、板状に形成された板ばね部４１を有する。また、本実施形態のばね部材４は、板状に形成された挟持部４２とベース部４３とを有する。板ばね部４１、挟持部４２及びベース部４３は、金属等からなる板材によって一体に形成されている。ばね部材４は、金属等の板材に適宜折り曲げ加工を施すことで形成される。
【００２１】
板ばね部４１は、表示パネル２の表示面２ａと前面カバー本体３４との間で側面カバー部３１側からその径方向内側に延びる。板ばね部４１は、当該板ばね部４１の延長方向における先端４１ａが板ばね部４１の基端４１ｂに対して表示パネル２の厚さ方向に移動するように弾性的に撓み変形可能とされている。先端４１ａを含む板ばね部４１の先端部４４は、前面カバー本体３４と鉤本体３６との間に配される。また、板ばね部４１の先端部４４は、表示面２ａとの間に鉤本体３６が配されるように位置する。
【００２２】
図２に示すように、前面カバー部３２に外力が作用していない状態では、板ばね部４１の先端部４４が鉤本体３６に対して間隔をあけて位置する。また、板ばね部４１の先端部４４は、前面カバー本体３４に対しても間隔をあけて位置する。このため、前面カバー部３２に外力が作用していない状態では、板ばね部４１の弾性力が前面カバー部３２に作用することはない。なお、前面カバー部３２に作用する外力は、例えば、前面カバー部３２を表示パネル２の表示面２ａに対して近づけたり離したりする方向への力である。
【００２３】
本実施形態において、板ばね部４１の先端部４４は、表示パネル２の厚さ方向において板ばね部４１の基端部４５よりも表示パネル２の表示面２ａから離れて位置する。図示例の板ばね部４１では、板ばね部４１の先端部４４と基端部４５とが互いに平行し、かつ、板ばね部４１が先端部４４と基端部４５との間で表示パネル２の厚さ方向に延びる段差部４６を有するが、これに限ることはない。板ばね部４１の基端部４５は、前述した板ばね部４１の基端４１ｂを含む。
【００２４】
図２，３に示すように、ばね部材４の挟持部４２は、板ばね部４１に対して表示パネル２の厚さ方向に間隔をあけて配される。挟持部４２は、板ばね部４１（特に基端部４５）との間に表示パネル２をその厚さ方向から挟む。このため、挟持部４２は表示パネル２の背面２ｂ側に配される。
挟持部４２は、表示パネル２の背面２ｂ側において側面カバー部３１側からその径方向内側に延びる。挟持部４２は、例えば板ばね部４１の場合と同様に、挟持部４２の延長方向における先端が挟持部４２の基端に対して表示パネル２の厚さ方向に移動するように弾性的に撓み変形可能とされてよい。なお、挟持部４２は、例えば外力を受けても変形しないように構成されてもよい。
【００２５】
本実施形態において、挟持部４２は、板ばね部４１よりも大きく形成されている。側面カバー部３１の径方向における挟持部４２の長さ寸法、及び、側面カバー部３１の周方向（辺に沿う方向）における挟持部４２の幅寸法は、板ばね部４１の長さ寸法及び幅寸法よりも大きい。また、本実施形態の挟持部４２には、その板厚方向に貫通する貫通孔４２ａが形成されている。
【００２６】
本実施形態では、板ばね部４１と挟持部４２との間に表示パネル２を挟んでいない状態において、板ばね部４１が、側面カバー部３１の径方向内側に向かうにしたがって挟持部４２に近づくように傾斜している（特に図２の２点鎖線で示す板ばね部４１参照）。これにより、板ばね部４１と挟持部４２との間に表示パネル２を挟んでいない状態では、板ばね部４１の基端部４５と挟持部４２との間隔Ｄ１が、表示パネル２の厚さＴ１よりも小さい。このため、板ばね部４１と挟持部４２の基端部４５との間に表示パネル２を挟んだ状態では、板ばね部４１の基端部４５が弾性的に撓み変形する。
【００２７】
ばね部材４のベース部４３は、板ばね部４１と挟持部４２との間に設けられ、板ばね部４１及び挟持部４２を相互に接続する。ベース部４３は、ばね部材４のうち側面カバー部３１の内周面３１ａに取り付けられる部位である。
ベース部４３は、板ばね部４１及び挟持部４２が接続される平板状の本体板部４７と、本体板部４７に接続されたアーム部４８とを有する。
【００２８】
本体板部４７は、側面カバー部３１の内周面３１ａに重ねるように配される。板ばね部４１及び挟持部４２は、本体板部４７の主面４７ａ，４７ｂに沿う第一方向（図２において左右方向）の両端から本体板部４７の第一主面４７ａ側（本体板部４７の厚さ方向の一方側）に延びる。
板ばね部４１の延長方向は、例えば本体板部４７の第一主面４７ａに対して直交してもよいが、本実施形態では本体板部４７の第一主面４７ａに対して傾斜する。板ばね部４１は、第一方向（板ばね部４１及び挟持部４２の配列方向）において挟持部４２に近づく方向に傾斜している。板ばね部４１は、本体板部４７に対して弾性的に撓み変形可能である。
挟持部４２の延長方向は、例えば板ばね部４１と同様に本体板部４７の第一主面４７ａに対して傾斜してもよいが、本実施形態では本体板部４７の第一主面４７ａに対して直交している。挟持部４２は、例えば本体板部４７に対して弾性的に撓み変形可能であってもよいが、これに限ることはない。
【００２９】
本体板部４７は、表示パネル２を板ばね部４１と挟持部４２との間に挟んだ状態で、表示パネル２の側面２ｃに対向する。図２では、本体板部４７の第一主面４７ａが表示パネル２の側面２ｃに接触しているが、例えば接触しなくてもよい。
本体板部４７のうち板ばね部４１が接続された部分には、本体板部４７の板厚方向に貫通する貫通孔４７ｃが形成されている。
【００３０】
アーム部４８は、本体板部４７の主面４７ａ，４７ｂに沿って第一方向に直交する第二方向（図２において紙面に直交する方向）の両端から延びる。
各アーム部４８は、本体板部４７の第二方向の各端部から、第二方向において本体板部４７から離れる方向にも延びるだけでなく、本体板部４７の第二主面４７ｂ側にも延びる。このため、各アーム部４８の延長方向の先端は、本体板部４７から第二主面４７ｂ側に間隔をあけて位置する。各アーム部４８は、その延長方向の先端が本体板部４７に対して第二方向に移動するように弾性変形可能とされている。各アーム部４８は、例えばその延長方向の先端が本体板部４７に対してその厚さ方向に移動するように弾性変形可能であってもよい。
【００３１】
図３に示すように、ベース部４３は、一対のアーム部４８の先端を、側面カバー部３１の内周面３１ａにおいて側面カバー部３１の周方向に配列された一対の係止リブ３８に引っ掛けることで、側面カバー部３１に取り付けられる。この状態において、本体板部４７は、側面カバー部３１の内周面３１ａに対して間隔をあけて配される。
【００３２】
以上のように構成されるばね部材４には、強度や弾性の機能が要求されるため、例えばステンレス鋼材（ＳＵＳ材）が用いられることが好ましい。
【００３３】
本実施形態に係る額縁３の変形抑制方法は、上記した表示装置１の構成に対応している。すなわち、本実施形態の変形抑制方法では、額縁３の側面カバー部３１の内周面３１ａに板ばね部４１を含むばね部材４を取り付ける。この際、板ばね部４１が表示パネル２の表示面２ａと前面カバー部３２との間で側面カバー部３１側から径方向内側に延びるように、かつ、板ばね部４１の延長方向における先端４１ａが板ばね部４１の基端４１ｂに対して表示パネル２の厚さ方向に移動するように板ばね部４１が弾性的に撓み変形可能となるように、板ばね部４１を配置する。さらに、前面カバー部３２に一体に形成された額縁３の鉤部３３を、表示面２ａと板ばね部４１の先端部４４との間に配置する。
【００３４】
以上説明したように、本実施形態に係る表示装置１及び額縁３の変形抑制方法では、側面カバー部３１の内周面３１ａに取り付けられたばね部材４の板ばね部４１が、表示パネル２の表示面２ａと前面カバー部３２との間で側面カバー部３１側から径方向内側に延びる。また、板ばね部４１は、その先端４１ａが基端４１ｂに対して表示パネル２の厚さ方向に移動するように弾性的に撓み変形可能とされている。さらに、前面カバー部３２に一体に形成された額縁３の鉤部３３が、表示面２ａと板ばね部４１の先端部４４との間に配される。
【００３５】
このため、表示装置１の向きを調整などするために作業者が手で額縁３を掴む等して、例えば図４に示すように、前面カバー部３２を表示面２ａから離すように前面カバー部３２に外力Ｆ１が作用すると、額縁３の鉤部３３が板ばね部４１の先端部４４に押し付けられ、板ばね部４１が弾性的に撓み変形する。このため、板ばね部４１の弾性力Ｅ１が、前面カバー部３２に対して上記の外力Ｆ１と逆向きに作用する。
また、例えば、前面カバー部３２を表示面２ａに近づけるように前面カバー部３２に外力が作用しても、前面カバー部３２が板ばね部４１の先端部４４に押し付けられ、板ばね部４１が弾性的に撓み変形する。この場合にも、板ばね部４１の弾性力が、前面カバー部３２に対して上記の外力と逆向きに作用する。
これにより、前面カバー部３２が側面カバー部３１に対して塑性的に撓むことを抑制できる。すなわち、額縁３の塑性変形を抑制することができる。したがって、表示装置１の品位が低下することを抑制できる。
【００３６】
また、本実施形態に係る表示装置１では、前面カバー部３２に外力が作用していない状態において、板ばね部４１の先端部４４が鉤部３３に対して間隔をあけて位置する。また、板ばね部４１の先端部４４は、前面カバー部３２に対しても間隔をあけて位置する。このため、前面カバー部３２に外力が作用していない状態では、板ばね部４１の弾性力が前面カバー部３２に作用しない。すなわち、板ばね部４１の弾性力によって前面カバー部３２に応力が生じることを防ぐことができる。これにより、前面カバー部３２を含む額縁３の保護を図ることができる。
【００３７】
また、本実施形態に係る表示装置１では、板ばね部４１の基端部４５が、挟持部４２との間に表示パネル２を挟んだ状態で弾性的に撓み変形する。また、板ばね部４１の先端部４４は、板ばね部４１の基端部４５よりも表示パネル２の表示面２ａよりも離れて位置する。このため、表示パネル２を挟持部４２と板ばね部４１の基端部４５との間に挟んで板ばね部４１の基端部４５が弾性的に撓み変形すると、板ばね部４１の先端部４４は鉤部３３から離れるように移動する（特に図２参照）。これにより、板ばね部４１の先端部４４と鉤部３３との隙間を確保することができる。
【００３８】
また、表示パネル２を挟持部４２と板ばね部４１の基端部４５との間に挟んだ状態では、板ばね部４１が弾性的に撓んでいるため、板ばね部４１の基端部４５には所定の弾性力が生じている。このため、板ばね部４１の先端部４４が鉤部３３によって押されたときには、この際に生じる板ばね部４１の撓み変形に伴う板ばね部４１の弾性力に加え、前述した所定の弾性力も前面カバー部３２に作用する。すなわち、板ばね部４１の先端部４４が鉤部３３によって押されたときに、前面カバー部３２に作用する板ばね部４１の弾性力をより大きくすることができる。
【００３９】
また、本実施形態に係る表示装置１では、鉤部３３が隙間カバー部３５によって覆われるため、鉤部３３が外部に露出することを抑制できる。これにより、作業者の手指などが鉤部３３に触れることを抑制できる。すなわち、鉤部３３の保護を図ることができる。
【００４０】
また、本実施形態に係る表示装置１では、ばね部材４が、額縁３の辺部分のうち前面カバー部３２が最も変形しやすい中央領域に配されている。このため、ばね部材４を額縁３の辺部分の中央領域以外の領域（例えば両端の領域）に配さなくても、前面カバー部３２が塑性的に撓むことを効果的に抑制できる。すなわち、サイズが小さいばね部材４によって、額縁３の塑性変形を効率よく抑制することができる。これにより、ばね部材４が額縁３の辺部分全体に設けられる場合と比較して、ばね部材４の設置に伴う表示装置１の製造コストを低く抑えることができる。
【００４１】
以上、本発明に係る表示装置１及び光誘導方法の実施形態について説明したが、本発明は上記の実施形態に限定されるものではなく、その趣旨を逸脱しない範囲において適宜変更可能である。
【００４２】
本発明において、ばね部材４は、例えばベース部４３を備えなくてもよい。この場合、ばね部材４の板ばね部４１と挟持部４２とが別個に形成され、それぞれ側面カバー部３１に取り付けられてよい。
【００４３】
本発明において、ばね部材４は、例えば図５に示すように、板ばね部４１のみを備えてもよい。すなわち、板ばね部４１は、表示パネル２をその厚さ方向から挟まなくてもよい。また、板ばね部４１は、例えば表示パネル２の表示面２ａに接触しなくてもよい。
【００４４】
本発明の表示装置では、例えば図５に示すように、前面カバー部３２に外力が作用していない状態において、板ばね部４１の先端部４４が鉤部３３に接触してもよい。なお、板ばね部４１の先端部４４が鉤部３３に接触していても、鉤部３３に作用する板ばね部４１の弾性力は小さい又はゼロであることが好ましい。
【符号の説明】
【００４５】
１  表示装置
２  表示パネル
２ａ  表示面
２ｂ  背面
２ｃ  側面
３  額縁
３１  側面カバー部
３１ａ  内周面
３２  前面カバー部
３３  鉤部
３４  前面カバー本体
３４ａ  内面
３６  鉤本体
４  ばね部材
４１  板ばね部
４１ａ  先端
４１ｂ  基端
４２  挟持部
４３  ベース部
４４  先端部
４５  基端部
５  バックカバー
【図１】
2020190704.tif 000003
【図２】
2020190704.tif 000004
【図３】
2020190704.tif 000005
【図４】
2020190704.tif 000006
【図５】
2020190704.tif 000007